(57)【特許請求の範囲】
【請求項１】
前後胴周り域およびそれら胴周り域の間に位置する股下域を備え、それら域のうちの少なくとも前記股下域に厚み方向へ貫通する少なくとも一つの開孔を有する肌に当接するライナーと、前記ライナーの外面に配置されて前記開孔を覆う不透液性被覆シートとから構成され、前記開孔周縁の外方に位置する前記被覆シートの外周縁部が前記ライナーに固着され、前記開孔につながる排泄物収容部が前記ライナーと前記被覆シートとの間に形成された使い捨て着用物品において、
前記排泄物収容部に、前記開孔周縁と前記被覆シートの前記外周縁部との間で前記開孔の両側を互いに離間並行して縦方向へ延びる吸液性コアが配置されるとともに、少なくとも１枚の吸水性内装シートが、前記被覆シートの前記外周縁部を除く該被覆シートの内面に取り付けられていることを特徴とする前記着用物品。
【請求項２】
前記内装シートが、セルロース系天然繊維、セルロース系再生繊維、親水処理が施されたポリオレフィン系合成繊維、のうちの少なくとも一つから作られた繊維不織布である請求項１に記載の着用物品。
【請求項３】
前記内装シートの吸水度（ＪＩＳ  Ｐ８１４１：クレム法）が、２００ｍｍ／１分〜３０ｍｍ／１分の範囲にある請求項１または請求項２に記載の着用物品。
【請求項４】
前記被覆シートとそれに取り付けられた前記内装シートとには、それらの中心部分からそれらの外周縁部へ向かって波状に起伏するとともに回帰線状に延びる多数の第１プリーツが形成されている請求項１ないし請求項３のいずれか１項に記載の着用物品。
【請求項５】
前記被覆シートとそれに取り付けられた前記内装シートとには、それらシートを折り込むことによって形成された多数の第２プリーツが縦方向と横方向とのうちのいずれか一方向へ延びている請求項１ないし請求項３のいずれか１項に記載の着用物品。
【請求項６】
前記吸液性コアが、前記ライナーの下面に固着されるとともに、前記内装シートで包まれている請求項１ないし請求項５のいずれか１項に記載の着用物品。
【発明の詳細な説明】
【０００１】
【発明の属する技術分野】
本発明は、排泄物を吸収、保持する使い捨て着用物品に関する。
【０００２】
【従来の技術】
実開平６−３４６１８号公報は、透液性表面シートと不透液性裏面シートとの間に吸液性コアが介在し、縦方向に前胴周り域および後胴周り域と、それら胴周り域の間に位置する股下域とを備え、表裏面シートとコアとをその厚み方向へ貫通する開孔が股下域の横方向中央部に形成されており、開孔を覆う透液性大便処理シートが表面シートの外面に配置され、開孔を覆う不透液性摘持シートが裏面シートの外面に配置された開放型の使い捨ておむつを開示している。
【０００３】
このおむつでは、開孔に処理シートが陥入し、開孔において処理シートと摘持シートとが固着されている。摘持シートは、その外周縁部が裏面シートの外面に着脱可能に仮止めされている。開孔では、処理シートと摘持シートとが大便を収容可能な凹部を形成している。このおむつは、摘持シートを裏面シートの外側へ引っ張ることによって、凹部に収容された大便を処理シートとともに開孔からおむつの外側に取り出すことができるという効果を有する。
【０００４】
【発明が解決しようとする課題】
前記公報に開示のおむつでは、凹部に位置する処理シートが水分吸収機能を備えていないので、大便のうちの流動性が高い軟便がおむつに排泄されてそれが凹部に収容されると、軟便が高い流動性を維持したままの状態で凹部に残存する。このおむつでは、それに着用者の体圧がかかって凹部がつぶれると、凹部に残存する軟便が凹部から容易に漏出し、漏出した軟便が表面シートの外面を拡散するので、着用者の股間部に軟便が広範囲に付着してしまう場合がある。
【０００５】
本発明の課題は、排泄された軟便が着用者の股間部に付着することを防ぐことができる使い捨て着用物品を提供することにある。
【０００６】
【課題を解決するための手段】
前記課題を解決するための本発明の前提は、前後胴周り域およびそれら胴周り域の間に位置する股下域を備え、それら域のうちの少なくとも前記股下域に厚み方向へ貫通する少なくとも一つの開孔を有する肌に当接するライナーと、前記ライナーの外面に配置されて前記開孔を覆う不透液性被覆シートとから構成され、前記開孔周縁の外方に位置する前記被覆シートの外周縁部が前記ライナーに固着され、前記開孔につながる排泄物収容部が前記ライナーと前記被覆シートとの間に形成された使い捨て着用物品である。
【０００７】
前記前提における本発明の特徴は、前記排泄物収容部に、前記開孔周縁と前記被覆シートの前記外周縁部との間で前記開孔の両側を互いに離間並行して縦方向へ延びる吸液性コアが配置されるとともに、少なくとも１枚の吸水性内装シートが、前記被覆シートの前記外周縁部を除く該被覆シートの内面に取り付けられていることにある。
【０００８】
本発明は、以下の実施態様を有する。
（１）前記内装シートが、セルロース系天然繊維、セルロース系再生繊維、親水処理が施されたポリオレフィン系合成繊維、のうちの少なくとも一つから作られた繊維不織布である。
（２）前記内装シートの吸水度（ＪＩＳ  Ｐ８１４１：クレム法）が、２００ｍｍ／１分〜３０ｍｍ／１分の範囲にある。
（３）前記被覆シートとそれに取り付けられた前記内装シートとには、それらの中心部分からそれらの外周縁部へ向かって波状に起伏するとともに回帰線状に延びる多数の第１プリーツが形成されている。
（４）前記被覆シートとそれに取り付けられた前記内装シートとには、それらシートを折り込むことによって形成された多数の第２プリーツが縦方向と横方向とのうちのいずれか一方向へ延びている。
（５）前記吸液性コアが、前記ライナーの下面に固着されるとともに、前記内装シートで包まれている。
【０００９】
【発明の実施の形態】
添付の図面を参照し、本発明にかかる使い捨て着用物品の詳細を説明すると、以下のとおりである。
【００１０】
図１，２は、一例として示す着用物品１Ａの部分破断斜視図と、裏面シート３の側から示す図１の物品１Ａの部分破断斜視図とであり、図３，４は、図１のＡ−Ａ線矢視断面図と、図１のＢ−Ｂ線矢視断面図とである。図１，２では、横方向を矢印Ｘ、縦方向を矢印Ｙで示し、厚み方向を矢印Ｚで示す。
【００１１】
物品１Ａは、肌当接側に位置する透液性表面シート２およびその下面に位置する不透液性裏面シート３からなる肌に当接するライナー４と、裏面シート３の下部に配置された不透液性被覆シート５とから構成されている。物品１Ａは、表裏面シート２，３の間に介在してそれらシート２，３のうちの少なくとも一方の対向面に固着された吸液性第１コア６と、被覆シート５に取り付けられた吸水性内装シート７とを有する。
【００１２】
ライナー４は、縦方向に前胴周り域８および後胴周り域１０と、それら胴周り域８，１０の間に位置する股下域９とを有する。ライナー４は、コア６の両側縁６ａの外側を縦方向へ延びる一対のサイドフラップ１１と、コア６の両端縁６ｂの外側を横方向へ延びる一対のエンドフラップ１２とを有する。ライナー４では、サイドフラップ１１が股下域９において横方向内方へ向かって弧を画いている。ライナー４は、その平面形状が砂時計型を呈する。ライナー４の股下域９には、表裏面シート２，３とコア６とを厚み方向へ貫通する開孔１３が形成されている。
【００１３】
開孔１３は、縦長円形を呈し、股下域９の横方向中央部であって股下域９の後半分に形成されている。開孔１３の周縁１４では、表面シート２と裏面シート３とが互いに重なり合った状態で、それらシート２，３の内面どうしが固着されている。開孔１３は、その全域が被覆シート５に覆われている。
【００１４】
サイドフラップ１１は、コア６の両側縁６ａから横方向外方へ延びる表面シート２の側部２ａと裏面シート３の側部３ａとから形成されている。エンドフラップ１２には、縦方向へ延びる複数条の脚周り用弾性部材１５が収縮可能に取り付けられている。エンドフラップ１２では、表裏面シート２，３の側部２ａ，３ａが互いに重なり合った状態で、それらシート２，３の側部２ａ，３ａ内面どうしが固着されている。脚周り用弾性部材１５は、表面シート２の側部２ａと裏面シート３の側部３ａとの間に介在し、それらシート２，３の側部２ａ，３ａ内面に固着されている。
【００１５】
エンドフラップ１２は、コア６の両端縁６ｂから縦方向外方へ延びる表面シート２の端部２ｂと裏面シート３の端部３ｂとから形成されている。エンドフラップ１２には、横方向へ延びる帯状の胴周り用弾性部材１６が収縮可能に取り付けられている。エンドフラップ１２では、表裏面シート２，３の端部２ｂ，３ｂが互いに重なり合った状態で、それらシート２，３の端部２ｂ，３ｂ対向面どうしが固着されている。胴周り用弾性部材１６は、表面シート２の端部２ｂと裏面シート３の端部３ｂとの間に介在し、それらシート２，３の端部２ｂ，３ｂ対向面に固着されている。
【００１６】
被覆シート５は、開孔１３の周縁１４の外方に位置する外周縁部５ａと、外周縁部５ａを除く残余部５ｂとを有する。被覆シート５は、外周縁部５ａが裏面シート３に固着され、残余部５ｂが裏面シート３に固着されていない。ライナー４と被覆シート５との間には、開孔１３につながる排泄物収容部１７が形成されている。
【００１７】
内装シート７は、排泄物収容部１７に配置されており、被覆シート５の残余部５ｂの内面に接着剤（図示せず）を介して間欠的に固着されている。内装シート７には、セルロース系天然繊維、セルロース系再生繊維、親水処理が施されたポリオレフィン系合成繊維、のうちの少なくとも一つから作られた繊維不織布が使用されている。
【００１８】
セルロース系天然繊維としては、パルプや綿毛を例示することができる。パルプには、機械的パルプ、化学的機械パルプ、半化学的パルプ、化学的パルプ、のうちの少なくとも１つを使用することができる。天然繊維には、マーセル化が施されたものを使用することもできる。
【００１９】
セルロース系再生繊維としては、レーヨン繊維を例示することができる。レーヨン繊維には、それを叩解することによって、繊維本体よりも微小な多数の二次繊維が繊維本体から分岐して延びるものを使用することが好ましい。そのようなレーヨン繊維は、特開２００１−１７２８５０に開示されている。
【００２０】
ポリオレフィン系合成繊維としては、ポリエチレン系合成樹脂繊維やポリプロピレン系合成樹脂繊維、ポリ塩化ビニル系合成樹脂繊維、ポリスチレン系合成樹脂繊維を例示することができる。
【００２１】
後胴周り域１０には、サイドフラップ１１から横方向外方へ延びるテープファスナ１８が取り付けられている。テープファスナ１８の自由端部には、メカニカルファスナのうちのフック部材１９が取り付けられている。前胴周り域８における裏面シート３の外面には、テープファスナ１８を着脱可能に止着する横方向へ長い矩形のターゲットテープ２０が取り付けられている。ターゲットテープ２０は、メカニカルファスナのうちのループ部材２１から形成されている。
【００２２】
物品１Ａを着用するには、後胴周り域１０のサイドフラップ１１を前胴周り域８のサイドフラップ１１の外側に重ね合わせ、フック部材１９とループ部材２１とを係合させてテープファスナ１８の自由端部をターゲットテープ２０に止着し、前胴周り域８と後胴周り域１０とを連結する。前後胴周り域８，１０が連結された物品１Ａには、胴周り開口とその下方に一対の脚周り開口とが形成される（図示せず）。
【００２３】
物品１Ａでは、それに軟便（図示せず）が排泄された場合、軟便が開孔１３を通過して排泄物収容部１７に収容される。物品１Ａでは、軟便に含まれる水分が内装シート７に吸収されることで、内装シート７上に軟便に含まれる固形分のみが残る。排泄物収容部１７では、それに収容された軟便の流動性が排泄されたときよりも低下する。物品１Ａでは、内装シート７によって軟便に含まれる水分と固形分とが分離され、内装シート７上に流動性を示さない軟便の固形分のみが残るので、軟便が高い流動性を維持したままの状態で排泄物収容部１７に残存することはない。物品１Ａでは、それに着用者の体圧がかかったとしても、流動性を示さない固形分が開孔１３から漏出することはなく、固形分が表面シート２の外面を流動することもないので、軟便が着用者の肌に付着してしまうことを防ぐことができる。物品１Ａに排泄された尿は、表面シート２を透過してコア６に吸収される。
【００２４】
物品１Ａでは、内装シート７のＪＩＳ  Ｐ８１４１  クレム法による吸水度が２００ｍｍ／１分〜３０ｍｍ／１分の範囲にある。吸水度が３０ｍｍ未満では、軟便に含まれる水分を内装シート７に短時間かつ十分に吸収させることができず、排泄物収容部１７に収容された軟便が高い流動性を維持したままの状態で排泄物収容部１７に残存してしまう。
【００２５】
図５，６は、他の一例として示す着用物品１Ｂの部分破断斜視図と、裏面シート３の側から示す図５の物品１Ｂの部分破断斜視図とであり、図７，８は、図５のＣ−Ｃ線矢視断面図と、図５のＤ−Ｄ線矢視断面図とである。図５，６では、横方向を矢印Ｘ、縦方向を矢印Ｙで示し、厚み方向を矢印Ｚで示す。
【００２６】
物品１Ｂは、透液性表面シート２および不透液性裏面シート３からなるライナー４と、裏面シート３の下部に配置された不透液性被覆シート５とから構成されている。物品１Ｂは、表裏面シート２，３の間に介在する吸液性第１コア６と、裏面シート３および被覆シート５に取り付けられた吸水性内装シート７，２３とを有する。
【００２７】
ライナー４には、表裏面シート２，３とコア６とを厚み方向へ貫通する開孔１３が形成されている。ライナー４には、サイドフラップ１１に位置して股下域９から前後胴周り域８，１０へ向かって縦方向へ延びる一対の防漏シート２２が取り付けられている。被覆シート５は、開孔１３の全域を覆った状態で、その外周縁部５ａが裏面シート３に固着されている。ライナー４と被覆シート５との間には、開孔１３につながる排泄物収容部１７が形成されている。
【００２８】
内装シート７は、互いに重なり合う２枚のもので、被覆シート５の残余部５ｂの内面に接着剤（図示せず）を介して間欠的に固着されている。内装シート７どうしは、それらシート７の対向面が接着剤（図示せず）を介して間欠的に固着されている。内装シート２３は、互いに重なり合う２枚のもので、開孔１３の周縁１４と被覆シート５の外周縁部５ａとの間に延びる裏面シート３に接着剤（図示せず）を介して間欠的に固着されている。内装シート２３どうしは、それらシート２３の対向面が接着剤（図示せず）を介して間欠的に固着されている。内装シート７，２３には、図１のそれと同一の繊維不織布が使用されている。内装シート７，２３のＪＩＳ  Ｐ８１４１  クレム法による吸水度は、図１の内装シート７のそれと同一である。
【００２９】
防漏シート２２は、縦方向へ延びる固定側部２２ａと、表面シート２の上方へ起立性向を有して縦方向へ延びる自由側部２２ｂと、物品１Ｂの横方向内方へ倒伏した固定両端部２２ｃとを有する。自由側部２２ｂには、縦方向へ延びる伸縮性弾性部材２４が収縮可能に取り付けられている。弾性部材２４は、自由側部２２ｂの一部に被覆されている。
【００３０】
サイドフラップ１１は、表裏面シート２，３の側部２ａ，３ａと防漏シート２２の固定側部２２ａとから形成されている。サイドフラップ１１では、表面シート２の側部２ａがコア６の両側縁６ａから横方向外方へわずかに延び、側部２ａからさらに横方向外方へ裏面シート３の側部３ａと防漏シート２２の固定側部２２ａとが延びている。側部２ａは、側部３ａと側部２２ａとの間に介在し、それら側部３ａ，２２ａに固着されている。側部３ａと側部２２ａとは、それら側部３ａ，２２ａの互いに重なり合う部分が固着されている。脚周り用弾性部材１５は、裏面シート３の側部３ａと防漏シート２２の固定側部２２ａとの間に介在し、それらシート３，２２の側部３ａ，２２ａに固着されている。防漏シート２２の固定両端部２２ｃは、表面シート２の端部２ｂ外面に固着されている。
【００３１】
物品１Ｂでは、排泄物収容部１７に収容された軟便（図示せず）の水分がそれら内装シート７，２３に吸収され、内装シート７上に軟便に含まれる固形分のみが残る。物品１Ｂでは、内装シート７，２３によって軟便に含まれる水分と固形分とが分離され、内装シート７上に流動性を示さない軟便の固形分のみが残るので、軟便が高い流動性を維持したままの状態で排泄物収容部１７に残存することはない。物品１Ｂでは、固形分が開孔１３から漏出することはなく、固形分が表面シート２の外面を流動することもないので、軟便が着用者の肌に付着してしまうことを防ぐことができる。
【００３２】
物品１Ｂでは、２枚の内装シート７が被覆シート５の内面に取り付けられているとともに、２枚の内装シート２３が裏面シート３の下面に取り付けられているので、内装シート７，２３に軟便に含まれる水分を多量に吸収させることができ、排泄物収容部１７における吸水機能を図１の物品１Ａのそれよりも高くすることができる。
【００３３】
物品１Ｂでは、それが表面シート２を内側にして縦方向へ湾曲すると、弾性部材２４が縦方向へ収縮して防漏シート２２の自由側部２２ｂが表面シート２の上方へ起立する。物品１Ｂでは、防漏シート２２の自由側部２２ｂが排泄物に対する障壁を形成するので、排泄物が股下域９から漏れてしまうことを防ぐことができる。
【００３４】
図９，１０は、他の一例として示す着用物品１Ｃの部分破断斜視図と、裏面シート３の側から示す図９の物品１Ｃの斜視図とであり、図１１，１２は、図９のＥ−Ｅ線矢視断面図と、図９のＦ−Ｆ線矢視断面図とである。図９，１０では、横方向を矢印Ｘ、縦方向を矢印Ｙで示し、厚み方向を矢印Ｚで示す。
【００３５】
物品１Ｃは、透液性表面シート２および不透液性裏面シート３からなるライナー４と、裏面シート３の下部に配置された不透液性被覆シート５とから構成されている。物品１Ｃは、表裏面シート２，３の間に介在する吸液性第１コア６と、裏面シート３および被覆シート５に取り付けられた吸水性内装シート７，２３とを有する。
【００３６】
ライナー４には、表裏面シート２，３とコア６とを厚み方向へ貫通する開孔１３が形成されている。ライナー４には、サイドフラップ１１に位置して股下域９から前後胴周り域８，１０へ向かって縦方向へ延びる一対の防漏シート２２が取り付けられている。被覆シート５は、開孔１３の全域を覆った状態で、その外周縁部５ａが裏面シート３の下面に固着されている。ライナー４と被覆シート５との間には、開孔１３につながる排泄物収容部１７が形成されている。
【００３７】
内装シート７は、被覆シート５の残余部５ｂの内面に接着剤（図示せず）を介して間欠的に固着されている。内装シート２３は、開孔１３の周縁１４と被覆シート５の外周縁部５ａとの間に延びる裏面シート３の下面に接着剤（図示せず）を介して間欠的に固着されている。内装シート７，２３には、図１のそれと同一の繊維不織布が使用されている。内装シート７，２３のＪＩＳ  Ｐ８１４１  クレム法による吸水度は、図１の内装シート７のそれと同一である。
【００３８】
被覆シート５とそれに取り付けられた内装シート７とには、残余部５ｂの中心部分５ｃから外周縁部５ａへ向かって波状に起伏する多数の第１プリーツ２５が形成されている。それらプリーツ２５は、実質的に環状を呈し、中心部分５ｃから外周縁部５ａへ向かってその円周が次第に大きくなるように同心状に並んでいる。
【００３９】
物品１Ｃでは、被覆シート５と内装シート７とに形成されたプリーツ２５が伸びることによって、被覆シート５と内装シート７とが矢印Ｚ１で示す物品１Ｃの厚み方向下方へ向かって伸びる。物品１Ｃでは、図１１，１２に二点鎖線で示すように、被覆シート５と内装シート７とが厚み方向下方へ伸びることで、排泄物収容部１７に空間が形成されるので、排泄物収容部１７における排泄物収容容積を大きくすることができ、多量の軟便を排泄物収容部１７に収容することができる。
【００４０】
物品１Ｃでは、排泄物収容部１７に収容された軟便（図示せず）の水分が内装シート７，２３に吸収され、内装シート７上に軟便に含まれる固形分のみが残る。物品１Ｃでは、内装シート７，２３によって軟便に含まれる水分と固形分とが分離され、内装シート７上に流動性を示さない軟便の固形分のみが残るので、軟便が高い流動性を維持したままの状態で排泄物収容部１７に残存することはない。物品１Ｃでは、固形分が開孔１３から漏出することはなく、固形分が表面シート２の外面を流動することもないので、軟便が着用者の肌に付着してしまうことを防ぐことができる。物品１Ｃでは、防漏シート２２の自由側部２２ｂが排泄物に対する障壁を形成するので、排泄物が股下域９から漏れてしまうことを防ぐことができる。
【００４１】
図１３，１４は、他の一例として示す着用物品１Ｄの部分破断斜視図と、裏面シート３の側から示す図１３の物品１Ｄの部分破断斜視図とであり、図１５，１６は、図１３のＧ−Ｇ線矢視断面図と、図１３のＨ−Ｈ線矢視断面図とである。図１３，１４では、横方向を矢印Ｘ、縦方向を矢印Ｙで示し、厚み方向を矢印Ｚで示す。
【００４２】
物品１Ｄは、透液性表面シート２および不透液性裏面シート３からなるライナー４と、裏面シート３の下部に配置された不透液性被覆シート５とから構成されている。物品１Ｄは、裏面シート３および被覆シート５に取り付けられた吸水性内装シート７，２３と、被覆シート５と内装シート７との間に介在する吸液性第２コア２７とを有する。物品１Ｄでは、表面シート２と裏面シート３との間に第１コアが存在していない。
【００４３】
ライナー４には、表面シート２と裏面シート３とを厚み方向へ貫通する開孔１３が形成されている。ライナー４には、サイドフラップ１１に位置して股下域９から前後胴周り域８，１０へ向かって縦方向へ延びる一対の防漏シート２２が取り付けられている。被覆シート５は、開孔１３の全域を覆った状態で、その外周縁部５ａが裏面シート３の外面に固着されている。ライナー４と被覆シート５との間には、開孔１３につながる排泄物収容部１７が形成されている。第２コア２７は、被覆シート５の残余部５ｂに配置され、被覆シート５と内装シート７とのうちの少なくとも一方に固着されている。
【００４４】
内装シート７は、その外面が被覆シート５の残余部５ｂの内面に接着剤（図示せず）を介して間欠的に固着されている。内装シート２３は、その内面が開孔１３の周縁１４と被覆シート５の外周縁部５ａとの間に延びる裏面シート３の外面に接着剤（図示せず）を介して間欠的に固着されている。内装シート７，２３には、図１のそれと同一の繊維不織布が使用されている。内装シート７，２３のＪＩＳ Ｐ８１４１ クレム法による吸水度は、図１の内装シート７のそれと同一である。
【００４５】
被覆シート５とそれに取り付けられた内装シート７とには、縦方向へ延びる多数の第２プリーツ２６が形成されている。それらプリーツ２６は、被覆シート５と内装シート７とを物品１Ｄの横方向内方へ折り込むことによって作られている。
【００４６】
物品１Ｄでは、被覆シート５と内装シート７とに形成されたプリーツ２６が伸びることによって、被覆シート５と内装シート６とが矢印Ｚ１で示す物品１Ｄの厚み方向下方へ向かって伸びる。物品１Ｄでは、図１５，１６に二点鎖線で示すように、被覆シート５と内装シート７とが厚み方向下方へ伸びることで、排泄物収容部１７に空間が形成されるので、排泄物収容部１７における排泄物収容容積を大きくすることができ、多量の軟便を排泄物収容部１７に収容することができる。物品１Ｄでは、内装シート７にプリーツ２６を形成することによって、表面積の大きな内装シート７を排泄物収容部１７に配置することができ、排泄物収容部１７における吸水機能を高くすることができる。
【００４７】
物品１Ｄでは、排泄物収容部１７に収容された軟便（図示せず）の水分が内装シート７，２３と第２コア２７とに吸収され、内装シート７上に軟便に含まれる固形分のみが残る。物品１Ｄでは、内装シート７，２３と第２コア２７とによって軟便に含まれる水分と固形分とが分離され、内装シート７上に流動性を示さない軟便の固形分のみが残るので、軟便が高い流動性を維持したままの状態で排泄物収容部１７に残存することはない。物品１Ｄでは、固形分が開孔１３から漏出することはなく、固形分が表面シート２の外面を流動することもないので、軟便が着用者の肌に付着してしまうことを防ぐことができる。
【００４８】
物品１Ｄでは、軟便に含まれる水分を内装シート７，２３のみならず第２コア２７にも吸収させることができるので、排泄物収容部１７において軟便に含まれる水分と固形分とを確実に分離することができる。物品１Ｄでは、防漏シート２２の自由側部２２ｂが排泄物に対する障壁を形成するので、排泄物が股下域９から漏れてしまうことを防ぐことができる。
【００４９】
図１７，１８は、他の一例として示す着用物品１Ｅの部分破断斜視図と、裏面シート３の側から示す図１７の物品１Ｅの部分破断斜視図とであり、図１９，２０は、図１７のＩ−Ｉ線矢視断面図と、図１７のＪ−Ｊ線矢視断面図とである。図１７，１８では、横方向を矢印Ｘ、縦方向を矢印Ｙで示し、厚み方向を矢印Ｚで示す。
【００５０】
物品１Ｅは、透液性表面シート２および不透液性裏面シート３からなるライナー４と、裏面シート３の下部に配置された不透液性被覆シート５とから構成されている。物品１Ｅは、裏面シート３および被覆シート５に取り付けられた吸水性内装シート７，２３と、ライナー４と内装シート７との間に介在する吸液性第３コア２８とを有する。物品１Ｅでは、表面シート２と裏面シート３との間に第１コアが存在せず、サイドフラップ１１に防漏シートが取り付けられていない。
【００５１】
ライナー４には、表面シート２と裏面シート３とを厚み方向へ貫通する開孔１３が形成されている。被覆シート５は、開孔１３の全域を覆った状態で、その外周縁部５ａが裏面シート３の外面に固着されている。ライナー４と被覆シート５との間には、開孔１３につながる排泄物収容部１７が形成されている。第３コア２８は、開孔１３の周縁１４と被覆シート５の外周縁部５ｂとの間に配置され、開孔１３の両側を互いに離間並行して縦方向へ延びている。第３コア２８は、内装シート２３に包まれて、ライナー４に固着されている。
【００５２】
内装シート７は、被覆シート５の残余部５ｂの内面に接着剤（図示せず）を介して間欠的に固着されている。内装シート２３は、開孔１３の周縁１４と被覆シート５の外周縁部５ａとの間に延びる裏面シート３の下面に接着剤（図示せず）を介して間欠的に固着されている。内装シート７，２３には、図１のそれと同一の繊維不織布が使用されている。内装シート７，２３のＪＩＳ  Ｐ８１４１  クレム法による吸水度は、図１の内装シート７のそれと同一である。
【００５３】
物品１Ｅでは、排泄物収容部１７に収容された軟便（図示せず）の水分が内装シート７，２３と第３コア２８とに吸収され、内装シート７上に軟便に含まれる固形分のみが残る。物品１Ｅでは、内装シート７，２３と第３コア２８とによって軟便に含まれる水分と固形分とが分離され、内装シート７上に流動性を示さない軟便の固形分のみが残るので、軟便が高い流動性を維持したままの状態で排泄物収容部１７に残存することはない。物品１Ｅでは、固形分が開孔１３から漏出することはなく、固形分が表面シート２の外面を流動することもないので、軟便が着用者の肌に付着してしまうことを防ぐことができる。
【００５４】
物品１Ｅでは、軟便に含まれる水分を内装シート７，２３のみならず第３コア２８にも吸収させることができるので、排泄物収容部１７において軟便に含まれる水分と固形分とを確実に分離することができる。
【００５５】
それら図示の物品１Ａ，１Ｂ，１Ｃ，１Ｄ，１Ｅでは、開孔１３の大きさや形状について、特に限定はなく、開孔１３が股下域９のみならず、股下域９から前後胴周り域８，１０にまで達していてもよい。また、それら図示の物品１Ａ，１Ｂ，１Ｃ，１Ｄ，１Ｅでは、開孔１３が２つ以上形成されていてもよい。開孔１３を２つ以上有する物品では、それら開孔１３の全域が被覆シート５に覆われていることが必要である。それら図示の物品１Ａ，１Ｂ，１Ｃ，１Ｄ，１Ｅでは、被覆シート５の大きさについて特に限定はなく、被覆シート５がライナー４と略同形同大であってもよい。
【００５６】
それら図示の物品１Ａ，１Ｂ，１Ｃ，１Ｄ，１Ｅでは、被覆シート５の外周縁部５ａが裏面シート３の外面に剥離可能に固着されていてもよく、また、被覆シート５の外周縁部５ａが裏面シート３の外面に着脱可能に取り付けられていてもよい。
【００５７】
図１，９，１３，１７に示す物品１Ａ，１Ｃ，１Ｄ，１Ｅでは、被覆シート５の残余部５ｂと裏面シート３とに２枚以上の内装シート７，２３が取り付けられていてもよく、図５に示す物品１Ｂでは、被覆シート５の残余部５ｂと裏面シート３とに３枚以上の内装シート７，２３が取り付けられていてもよい。図１３に示す物品１Ｄでは、被覆シート５と内装シート７とを物品１Ｄの縦方向内方へ折り込むことによって作られた横方向へ延びる多数の第２プリーツ２６が形成されていてもよい。
【００５８】
表面シート２には、親水性繊維不織布、多数の開孔を有する疎水性繊維不織布、微細な多数の開孔を有する透液性プラスチックフィルムのいずれかを使用することができる。裏面シート３や被覆シート５、防漏シート２２には、疎水性繊維不織布、通気不透液性プラスチックフィルム、疎水性繊維不織布を重ね合わせた複合不織布、疎水性繊維不織布と通気不透液性プラスチックフィルムとを重ね合わせた複合シートのいずれかを使用することができる。
【００５９】
裏面シート３や被覆シート５、防漏シート２２には、高い耐水性を有するメルトブローン法による繊維不織布を、高い強度と良好な柔軟性とを有するスパンボンド法による繊維不織布で挟んだ複合不織布を使用することもできる。
【００６０】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００６１】
第１〜第３コア６，２７，２８は、フラッフパルプと高吸収性ポリマー粒子との混合物、または、フラッフパルプと高吸収性ポリマー粒子と熱可塑性合成樹脂繊維との混合物であり、所要の厚みに圧縮されている。それらコア６，２７，２８は、それの型崩れやポリマー粒子の脱落を防止するため、全体がティッシュペーパーや親水性繊維不織布等の透液性シートに被覆されていることが好ましい。ポリマー粒子としては、デンプン系、セルロース系、合成ポリマー系のものを使用することができる。
【００６２】
シート２，３，５，７，２２，２３どうしの固着、シート２，３，７，２３に対するコア６，２７，２８の固着、シート２，３，２２に対する弾性部材１５，１６，２４の固着には、ホットメルト型接着剤、または、ヒートシールやソニックシール等の熱による溶着手段を利用することができる。
【００６３】
この発明は、着用時に前後胴周り域を連結するオープン型の着用物品の他に、前後胴周り域のサイドフラップがあらかじめ連結されて胴周り開口と脚周り開口とが形成されたパンツ型の着用物品にも実施することができる。
【００６４】
【発明の効果】
本発明にかかる使い捨て着用物品によれば、排泄された軟便が開孔を通過して排泄物収容部に収容された後、軟便に含まれる水分が内装シートに吸収され、内装シート上に軟便に含まれる固形分のみが残り、排泄物収容部に収容された軟便の流動性が排泄されたときよりも低下する。この物品では、内装シートによって軟便に含まれる水分と固形分とが分離され、内装シート上に流動性を示さない軟便の固形分のみが残るので、軟便が高い流動性を維持したままの状態で排泄物収容部に残存することはない。この物品では、それに着用者の体圧がかかったとしても、流動性を示さない固形分が開孔から漏出することはなく、固形分が表面シートの外面を流動することもないので、軟便が着用者の肌に付着してしまうことを防ぐことができる。
【００６５】
被覆シートとそれに取り付けられた内装シートとに回帰線状に延びる多数の第１プリーツが形成された着用物品では、内装シートによって軟便に含まれる水分と固形分とが分離されるので、軟便が高い流動性を維持したままの状態で排泄物収容部に残存することがないことはもちろんのこと、第１プリーツが伸びることによって、被覆シートと内装シートとが物品の厚み方向下方へ向かって伸び、排泄物収容部に空間が形成されるので、排泄物収容部における排泄物収容容積を大きくすることができ、多量の軟便を排泄物収容部に収容することができる。
【００６６】
被覆シートとそれに取り付けられた内装シートとに縦方向と横方向とのうちのいずれか一方向へ延びる多数の第２プリーツが形成された物品では、内装シートによって軟便に含まれる水分と固形分とが分離されるので、軟便が高い流動性を維持したままの状態で排泄物収容部に残存することがないことはもちろんのこと、第２プリーツが伸びることによって、被覆シートと内装シートとが物品の厚み方向下方へ向かって伸び、排泄物収容部に空間が形成されるので、排泄物収容部における排泄物収容容積を大きくすることができ、多量の軟便を排泄物収容部に収容することができる。この物品では、内装シートに第２プリーツを形成することによって、表面積の大きな内装シートを排泄物収容部に配置することができ、排泄物収容部における吸水機能を高くすることができる。
【００６７】
また、軟便に含まれる水分を内装シートのみならず吸液性コアにも吸収させることができるので、排泄物収容部において軟便に含まれる水分と固形分とを確実に分離することができ、排泄物収容部に収容された軟便の流動性を一層低下させることができる。
【００６８】
（削除）
【図面の簡単な説明】
【図１】  一例として示す着用物品の部分破断斜視図。
【図２】  裏面シートの側から示す図１の物品の部分破断斜視図。
【図３】  図１のＡ−Ａ線矢視断面図。
【図４】  図１のＢ−Ｂ線矢視断面図。
【図５】  他の一例として示す着用物品の部分破断斜視図。
【図６】  裏面シートの側から示す図５の物品の部分破断斜視図。
【図７】  図５のＣ−Ｃ線矢視断面図。
【図８】  図５のＤ−Ｄ線矢視断面図。
【図９】  他の一例として示す着用物品の部分破断斜視図。
【図１０】  裏面シートの側から示す図９の物品の斜視図。
【図１１】  図９のＥ−Ｅ線矢視断面図。
【図１２】  図９のＦ−Ｆ線矢視断面図。
【図１３】  他の一例として示す着用物品の部分破断斜視図。
【図１４】  裏面シートの側から示す図１３の物品の部分破断斜視図。
【図１５】  図１３のＧ−Ｇ線矢視断面図。
【図１６】  図１３のＨ−Ｈ線矢視断面図。
【図１７】  他の一例として示す着用物品の部分破断斜視図。
【図１８】  裏面シートの側から示す図１７の物品の部分破断斜視図。
【図１９】  図１７のＩ−Ｉ線矢視断面図。
【図２０】  図１７のＪ−Ｊ線矢視断面図。
【符号の説明】
１Ａ          使い捨て着用物品
１Ｂ          使い捨て着用物品
１Ｃ          使い捨て着用物品
１Ｄ          使い捨て着用物品
１Ｅ          使い捨て着用物品
２            透液性表面シート
３            不透液性裏面シート
４            ライナー
５            不透液性被覆シート
５ａ          外周縁部
５ｂ          残余部
５ｃ          中心部分
６            吸液性コア
７            吸水性内装シート
８            前胴周り域
９            股下域
１０            後胴周り域
１３            開孔
１４            周縁
１７            排泄物収容部
２３            吸水性内装シート
２５            第１プリーツ
２６            第２プリーツ
【図１】
0003973469.tif 000002
【図２】
0003973469.tif 000003
【図３】
0003973469.tif 000004
【図４】
0003973469.tif 000005
【図５】
0003973469.tif 000006
【図６】
0003973469.tif 000007
【図７】
0003973469.tif 000008
【図８】
0003973469.tif 000009
【図９】
0003973469.tif 000010
【図１０】
0003973469.tif 000011
【図１１】
0003973469.tif 000012
【図１２】
0003973469.tif 000013
【図１３】
0003973469.tif 000014
【図１４】
0003973469.tif 000015
【図１５】
0003973469.tif 000016
【図１６】
0003973469.tif 000017
【図１７】
0003973469.tif 000018
【図１８】
0003973469.tif 000019
【図１９】
0003973469.tif 000020
【図２０】
0003973469.tif 000021